(57)【要約】      （修正有）【課題】球形状ヘッド棒の通水路において、二つの通水方向に夾角を有する通水口を設置することにより、吐水方向を上向きに調整する機能を実現することができ、さらに、吐水角度を調整することもできる吐水装置を提供する。【解決手段】吐水装置１００は、球形状ヘッド手段を備え、球形状ヘッド手段は、球形状ヘッド棒及び球形状ヘッドを備え、球形状ヘッド棒には、二つの通水口が設けられ、二つの通水口間に通水路が順次に設けられ、二つの通水口は、それらの向きに夾角を有しており、少なくとも一つの通水口に球形状ヘッドが設けられ、通水路は、球形状ヘッドを貫通している。さらに吐水手段６と接続手段５を備え、球形状ヘッドはそれぞれの手段に回転可能に接続される。【選択図】図１
0003231411.tif 000002
【実用新案登録請求の範囲】
【請求項１】
球形状ヘッド手段を備える、吐水装置であって、
前記球形状ヘッド手段は、球形状ヘッド棒及び球形状ヘッドを備え、前記球形状ヘッド棒には、二つの通水口が設けられ、二つの通水口間に通水路が順次に設けられ、二つの通水口は、それらの向きに夾角を有し、
少なくとも一つの通水口には、前記球形状ヘッドが設けられ、前記通水路は、前記球形状ヘッドを貫通している、ことを特徴とする、吐水装置。
【請求項２】
吐水手段をさらに備え、
前記球形状ヘッドは、前記吐水手段に設けられ、前記吐水手段に回転可能に接続される、ことを特徴とする、請求項1に記載の吐水装置。
【請求項３】
前記吐水手段は、発泡手段とされる、ことを特徴とする、請求項２に記載の吐水装置。
【請求項４】
接続手段をさらに備え、二つの通水口は、一つの通水口に前記球形状ヘッドが設けられ、他の通水口に前記接続手段が設けられる、ことを特徴とする、請求項1に記載の吐水装置。
【請求項５】
二つの通水口には、それぞれ、前記球形状ヘッドが設けられる、ことを特徴とする、請求項1に記載の吐水装置。
【請求項６】
接続手段をさらに備え、
いずれか一つの前記球形状ヘッドは、前記接続手段に設けられ、前記接続手段に回転可能に接続される、ことを特徴とする、請求項５に記載の吐水装置。
【請求項７】
二つの通水口は、それらの向きの夾角の角度範囲が３０度−１５０度とされる、ことを特徴とする、請求項1に記載の吐水装置。
【請求項８】
前記通水路は、球形状ヘッド棒の中心軸線に沿って同軸するように設置される、ことを特徴とする、請求項1に記載の吐水装置。
【請求項９】
吐水口端を備える蛇口であって、
請求項１から８のいずれか一つに記載の吐水装置を備え、いずれか一つの通水口が前記吐水口端に連通している、ことを特徴とする、蛇口。
【請求項１０】
下方の吐水口端を備えるシャワー装置であって、
請求項１から８のいずれか一つに記載の吐水装置を備え、いずれか一つの通水口が前記下方の吐水口端に連通している、ことを特徴とする、シャワー装置。
【考案の詳細な説明】
【技術分野】
【０００１】
本考案は、入浴機器の技術分野に関し、特に、吐水装置、蛇口及びシャワー装置に関する。
【背景技術】
【０００２】
従来の球形状ヘッド付きの吐水装置は、球形状ヘッドにより、吐水口端又は給水口端に回転可能に接続され、ある程度で吐水方向が変化できることが一般的である。日常生活では、うがいや洗顔などの場合に、上記の球形状ヘッド付きの吐水装置を給水させてから水が使えるため、その使用が極めて不便となっている。
【考案の概要】
【考案が解決しようとする課題】
【０００３】
本考案の解決しようとする問題は、上向きの吐水と下向きの吐水とを同時に適用できる吐水装置、蛇口及びシャワー装置を提供することにある。
【課題を解決するための手段】
【０００４】
本考案に係る技術的手段は、上述した技術的課題を解決するために、球形状ヘッド手段を備える、吐水装置であって、前記球形状ヘッド手段は、球形状ヘッド棒及び球形状ヘッドを備え、前記球形状ヘッド棒には、二つの通水口が設けられ、二つの通水口間に通水路が順次に設けられ、二つの通水口は、それらの向きに夾角を有し、少なくとも一つの通水口には、前記球形状ヘッドが設けられ、前記通水路は、前記球形状ヘッドを貫通している、吐水装置である。
【０００５】
好適には、吐水手段をさらに備え、前記球形状ヘッドは、前記吐水手段に設けられ、前記吐水手段に回転可能に接続される。
【０００６】
好適には、前記吐水手段は、発泡手段とされる。
【０００７】
好適には、接続手段をさらに備え、二つの通水口は、一つの通水口に前記球形状ヘッドが設けられ、他の通水口に前記接続手段が設けられる。
【０００８】
好適には、二つの通水口には、それぞれ、前記球形状ヘッドが設けられる。
【０００９】
好適には、接続手段をさらに備え、いずれか一つの前記球形状ヘッドは、前記接続手段に設けられ、前記接続手段に回転可能に接続される。
【００１０】
好適には、二つの通水口は、それらの向きの夾角の角度範囲が３０度−１５０度とされる。
【００１１】
好適には、前記通水路は、球形状ヘッド棒の中心軸線に沿って同軸するように設置される。
【００１２】
本考案は、吐水口端及び吐水装置を備え、前記球形状ヘッド棒の他方端が前記吐水口端に接続される、蛇口をさらに提供する。
【００１３】
本考案は、下方の吐水口端及び吐水装置を備え、前記球形状ヘッド棒の他方端が前記下方の吐水口端に接続される、シャワー装置をさらに提供する。
【考案の効果】
【００１４】
本考案は、その有益な効果が以下の通りである。球形状ヘッド棒の通水路においては、二つの通水方向に夾角を有する通水口を設置し、第一球形状ヘッド棒に第一球形状ヘッドを設置し、第一球形状ヘッドを、それぞれに、供水装置又は吐水手段に回転可能に接続させることにより、吐水方向を上向きに調整する吐水装置の機能を実現することができ、さらに、ある程度で吐水角度を調整することができる。
【図面の簡単な説明】
【００１５】
【図１】本考案の第一実施例における吐水装置の構成の模式図である。
【図２】図１における球形状ヘッド手段の構成の模式図である。
【図３】本考案の第二実施例における吐水装置の構成の模式図である。
【図４】図３における球形状ヘッド手段の構成の模式図である。
【図５】本考案の第二実施例における吐水装置付きの蛇口の構成の模式図である。
【図６】図５における吐水装置の吐水方向が上向きにされている構成の模式図である。
【図７】本考案の第三実施例における吐水装置付きの排水管付きのシャワー装置の構成の模式図である。
【図８】図７における吐水装置の吐水方向が上向きにされている構成の模式図である。
【図９】本考案の第三実施例における吐水装置付きの排水管付かないシャワー装置の構成の模式図である。
【図１０】図９における吐水装置の吐水方向が上向きにされている構成の模式図である。
【考案を実施するための形態】
【００１６】
本考案に係る技術的内容、達成する目的及び効果を詳しく説明するために、以下に、実施形態を組み合わせて図面を参照しながら説明する。
【００１７】
本考案の最も重要な発想は、通水路において、二つの通水方向に夾角を有する通水口を設置して、吐水装置の吐水方向を上向きの方向に調整するように実現するということにある。
【００１８】
図１乃至図６を参照すると、吐水装置は、球形状ヘッド手段を備え、前記球形状ヘッド手段は、球形状ヘッド棒及び球形状ヘッドを備え、前記球形状ヘッド棒に二つの通水口が設けられ、前記球形状ヘッド棒は、二つの通水口間に、通水路が順次に設けられ、二つの通水口は、それらの向きに夾角を有しており、少なくとも一つの通水口に、前記球形状ヘッドが設けられ、前記通水路は、前記球形状ヘッドを貫通している。
【００１９】
上記した説明によると、本考案による有益な効果が以下の通りである。球形状ヘッド棒の通水路においては、二つの通水方向に夾角を有する通水口を設置し、第一球形状ヘッド棒に第一球形状ヘッドを設置し、第一球形状ヘッドをそれぞれ供水装置又は吐水手段に回転可能に接続させることにより、吐水方向を上向きに調整する吐水装置の機能を実現することができ、さらに、ある程度で吐水角度を調整することができる。
【００２０】
好適には、前記吐水装置は、吐水手段をさらに備え、前記第一球形状ヘッドが吐水手段に設けられ、吐水手段に回転可能に接続される。
【００２１】
上記した説明によると、第一球形状ヘッドは、吐水手段に設けられ、第一球形状ヘッドの回転により吐水手段の吐水方向を調整することができる。
【００２２】
好適には、前記吐水手段は、発泡手段とされる。
【００２３】
好適には、前記吐水装置は、接続手段をさらに備え、前記接続手段が球形状ヘッド棒の他方端に設けられる。
【００２４】
上記した説明によると、球形状ヘッド棒の他方端に接続手段が設けられ、前記接続手段と第一球形状ヘッドとは、それぞれ、吐水装置における給水口端及び吐水口端として、吐水手段と供水装置とに接続される。
【００２５】
好適には、前記球形状ヘッド棒の他方端に第二球形状ヘッドが設けられ、前記通水路が前記第二球形状ヘッドを貫通している。
【００２６】
上記した説明によると、球形状ヘッド棒の他方端に第二球形状ヘッドが設置され、第一球形状ヘッドと第二球形状ヘッドとは、それぞれ、吐水装置における給水口端及び吐水口端として、供水装置と吐水手段とに接続されることから、球形状ヘッド棒が両方向に回転して吐水方向への選択をより柔軟にすることを実現できる。
【００２７】
好適には、前記吐水装置は、接続手段をさらに備え、前記第一球形状ヘッドと第二球形状ヘッドとのうちの一つが接続手段に接続され、接続手段に回転可能に接続される。
【００２８】
上記した説明によると、第一球形状ヘッドと第二球形状ヘッドとのうちの一つが接続手段に設けられ、接続手段により、吐水手段を吐水装置における吐水口端として接続してもよく、接続供水装置を吐水装置における給水口端として接続してもよい。
【００２９】
好適には、二つの通水口は、それらの向きの夾角の角度範囲が３０度−１５０度とされる。
【００３０】
上記した説明によると、二つの通水口は、それらの通水方向の夾角の角度範囲が３０度−１５０度とされることから、吐水装置が調整可能な吐水方向を、ユーザーの使用習慣によく合わせると共に、吐水装置を上向きに吐水するように調整すると、吐水の飛び散りを避ける効果がある。
【００３１】
好適には、前記通水路は、球形状ヘッド棒の中心軸線に沿って同軸するように設置される。
【００３２】
本考案は、吐水口端と吐水装置とを備え、前記球形状ヘッド棒の他方端が前記吐水口端に接続される、蛇口をさらに提供する。
【００３３】
上記した説明によると、蛇口の吐水方向を調整するように、吐水装置と蛇口の吐水口端とが接続される。
【００３４】
本考案は、下方の吐水口端と吐水装置とを備え、前記球形状ヘッド棒の他方端が前記下方の吐水口端に接続される、シャワー装置をさらに提供する。
【００３５】
上記した説明によると、シャワー装置の下方の吐水方向を調整するように、吐水装置とシャワー装置の下方の吐水口端とが接続される。
【００３６】
図１と図２を参照すると、本考案の第一実施例は、以下の通りである。
【００３７】
吐水装置１００は、球形状ヘッド手段、接続手段５、及び、吐水手段６を備え、前記球形状ヘッド手段は、第一球形状ヘッド棒１、第一球形状ヘッド３、第二球形状ヘッド棒２、及び、第二球形状ヘッド４を備え、前記第一球形状ヘッド棒１の一方端が第二球形状ヘッド棒２の一方端に固定して接続される。
【００３８】
図２に示すように、前記第一球形状ヘッド棒１の他方端に第一球形状ヘッド３が設けられ、前記第一球形状ヘッド棒１に、第一球形状ヘッド３を貫通する第一通水路７が設けられ、前記第二球形状ヘッド棒２の他方端に第二球形状ヘッド４が設けられ、前記第二球形状ヘッド棒２に第二球形状ヘッド４を貫通する第二通水路８が設けられ、前記第一通水路７と第二通水路８とが連通しており、第一通水路７の通水口の向きと第二通水路８の通水口の向きとに９０度となる夾角を有している。
【００３９】
そのうち、吐水装置が上向きに吐水すると、二つの通水口の向きに９０度となる夾角を設置して、吐水の飛び散りを避けるようにする。
【００４０】
前記第一通水路７は、第一球形状ヘッド棒１の中心軸線に同軸するように設置され、前記第二通水路８と第二球形状ヘッド棒２の中心軸線とが、同軸するように設置される。
【００４１】
そのうち、本実施例における第一球形状ヘッド棒と第二球形状ヘッド棒は、区別するための例示的なものに過ぎず、必ず特定の球形状ヘッド棒に限定されているものではない。また、第一球形状ヘッド棒を第二球形状ヘッド棒、第二球形状ヘッド棒を第一球形状ヘッド棒に称してもよく、同様に、第一球形状ヘッドと第二球形状ヘッド、並びに、第一通水路と第二通水路などの要件について、均等的に交換しても構わない。
【００４２】
前記接続手段５は、両端に開口を有する中空の構成であり、前記第二球形状ヘッド４は、リング状の密封手段により接続手段５に周設され、接続手段５と密封手段により囲まれた空間に回転可能に設置される。
【００４３】
前記吐水手段６は、発泡手段とされ、前記第一球形状ヘッド３がリング状の密封手段により発泡手段に周設され、発泡手段と密封手段により囲まれた空間に回転可能に設置される。
【００４４】
そのうち、接続手段５は、供水装置の吐水口端に連通することができる。
【００４５】
図３と図４を参照すると、本考案の第二実施例は、以下の通りである。
【００４６】
第二実施例は、第一実施例に対してその相違点が以下の通りである。
前記球形状ヘッド手段は、円弧形球形状ヘッド棒９、第一球形状ヘッド３、及び、第二球形状ヘッド４を備え、前記円弧形球形状ヘッド棒９に二つの通水口が設けられ、円弧形球形状ヘッド棒９は、二つの通水口間に、円弧形通水路１０が順次に設けられ、二つの通水口は、それらの向きに９０度の夾角を有している。
【００４７】
二つの通水口は、それぞれ、第一球形状ヘッド３と第二球形状ヘッド４とが設置され、前記円弧形通水路１０は、それぞれ、第一球形状ヘッド３及び第二球形状ヘッド４を貫通している。
【００４８】
前記円弧形通水路１０は、円弧形球形状ヘッド棒９の中心軸線に沿って、同軸するように設置される。
【００４９】
図５と図６を参照すると、本考案の第三実施例は、以下の通りである。
第三実施例は、第一実施例一に対して、蛇口２００が吐水口端及び吐水装置を備え、吐水装置１００に設けられる接続手段５が蛇口２００の吐水口端に固定して接続されるという相違点が存在している。
【００５０】
下向きに吐水する際には、第一球形状ヘッド３及び第二球形状ヘッド４を回転させ、吐水装置１００を図５に示すように調整して、発泡手段の吐水方向を下向きにするとよい。
【００５１】
上向きに吐水する際には、第一球形状ヘッド３及び第二球形状ヘッド４を回転させ、吐水装置１００を図６に示すように、発泡手段の吐水方向を上向きにするとよい。
【００５２】
図７と図８を参照すると、本考案の第四実施例は、以下の通りである。
【００５３】
第四実施例は、第一実施例一に対して、排水管付きのシャワー装置３００が吐水口端と吐水装置とを備え、吐水装置１００に設けられる接続手段７と排水管付きのシャワー装置３００の吐水口端とが接続されるという相違点が存在している。
【００５４】
下向きに吐水する際には、第一球形状ヘッド３及び第二球形状ヘッド４を回転させ、吐水装置１００を図７に示すように、発泡手段の吐水方向を下向きにするとよい。
【００５５】
上向きに吐水する際には、第一球形状ヘッド３及び第二球形状ヘッド４を回転させ、吐水装置１００を図８に示すように、発泡手段の吐水方向に上向きにするとよい。
【００５６】
図９及び図１０を参照すると、本考案の第五実施例は、以下の通りである。
【００５７】
第五実施例は、第一実施例に対して、排水管付かないシャワー装置４００が、吐水口端及び吐水装置を備え、吐水装置１００に設けられる接続手段５と排水管付かないシャワー装置４００の吐水口端とが接続されるという相違点が存在している。
【００５８】
下向きに吐水する際には、第一球形状ヘッド３及び第二球形状ヘッド４を回転して、吐水装置１００を図９に示すように、発泡手段の吐水方向を下向きにするとよい。
【００５９】
上向きに吐水する際には、第一球形状ヘッド３及び第二球形状ヘッド４を回転させ、吐水装置１００を図１０に示すように、発泡手段の吐水方向を上向きにするとよい。
【００６０】
以上より、本考案が提供する上向きに吐水するための吐水装置、蛇口及びシャワー装置は、球形状ヘッド棒の通水路において、二つの通水方向に夾角を有する通水口を設置し、球形状ヘッド棒の両端にそれぞれに、第一球形状ヘッドと第二球形状ヘッドとを設置し、第一球形状ヘッドと第二球形状ヘッドとをそれぞれ供水装置と吐水手段に回転可能に設置することにより、吐水方向を上向きに調整する吐水装置の機能を実現することができ、さらに、ある程度で吐水角度を調整することができる。
【００６１】
以上に説明したのは、本考案の実施例に過ぎず、本考案の保護範囲を限定するものではなく、本考案の明細書及びその図面に基づいてなされた如何なる均等的な置換、又は、関連する技術分野に直接・間接に適用されたものも、同様に、実用新案登録請求の範囲に属されている。
【符号の説明】
【００６２】
１    第一球形状ヘッド棒
２    第二球形状ヘッド棒
３    第一球形状ヘッド
４    第二球形状ヘッド
５    接続手段
６    吐水手段
７    第一通水路
８    第二通水路
９    円弧形球形状ヘッド棒
１０    円弧形通水路
１００    吐水装置
２００    蛇口
３００    排水管付きのシャワー装置
４００    排水管付かないシャワー装置
【図１】
0003231411.tif 000003
【図２】
0003231411.tif 000004
【図３】
0003231411.tif 000005
【図４】
0003231411.tif 000006
【図５】
0003231411.tif 000007
【図６】
0003231411.tif 000008
【図７】
0003231411.tif 000009
【図８】
0003231411.tif 000010
【図９】
0003231411.tif 000011
【図１０】
0003231411.tif 000012